(57)【要約】【課題】各装置毎に保守ツールを準備する必要性をなくすことにより、保守ツール及び接続ケーブルが紛失することを防ぐようにする。【解決手段】発電設備１は、当該設備を制御する制御装置２、当該設備の諸量を監視する監視装置３及び当該設備を保護する保護装置４を備えており、発電設備１に設けられた統合保守ツール５は制御装置２、監視装置３及び保護装置４それぞれを保守及び点検するための保守点検機能６を有するとともに、更に統合保守ツール５は制御装置２、監視装置３及び保護装置４それぞれの保守点検結果の履歴を保有することができる。【選択図】図１
2010233421.tif 000002
【特許請求の範囲】
【請求項１】
発電設備を制御する制御装置、上記発電設備の諸量を監視する監視装置及び上記発電設備を保護する保護装置を備えたものであって、上記制御装置、監視装置及び保護装置それぞれを保守及び点検するためのソフトウエアと、それぞれの上記ソフトウエアを切り替えることができるソフトウエア選択機能と、上記制御装置、監視装置及び保護装置それぞれの保守点検結果の履歴を保有する機能とを備えた１つの統合保守ツールを設けたことを特徴とする発電設備。
【請求項２】
上記統合保守ツールは、上記制御装置、監視装置及び保護装置それぞれの保守点検結果の履歴に基づいて最適な保守、点検時期を予測する機能を備えていることを特徴とする請求項１記載の発電設備。
【請求項３】
上記予測された保守、点検時に実際に保守、点検を実施した上記制御装置、監視装置及び保護装置の消耗度等の情報を入力するための入力手段を設けるとともに、次回の保守点検時期を予測する際に、上記入力手段に入力された情報に基づき保守、点検時期を補正する補正機能を上記統合保守ツールに設けたことを特徴とする請求項２記載の発電設備。
【発明の詳細な説明】
【技術分野】
【０００１】
この発明は発電設備に関するものであり、特に制御装置、監視装置、保護装置それぞれの装置の保守、点検時に、各装置と連結して使用する保守ツールが設けられた火力発電設備に関するものである。
【背景技術】
【０００２】
従来の発電所等に設置される各電力用機器の運転保守支援システムにおいては、分散制御盤から制御データが出力され、制御装置内に設置された上位計算機では現場監視端末からの計測値データと、分散制御盤からの制御データとに基づき、電力用機器の状態データが求められるものがあった。
【０００３】
そしてこのようなシステムにおける制御装置、更には監視装置並びに保護装置には、それぞれの装置の保守、点検用として、個別に保守ツールが準備されるものである。そして発電所のメンテナンス員は、必要時に必要とする保守ツールを準備して、必要とする装置と接続し、保守、点検を実施していた(特許文献１参照)。
【先行技術文献】
【特許文献】
【０００４】
【特許文献１】特開平６−９８４６７号公報
【発明の概要】
【発明が解決しようとする課題】
【０００５】
従来の発電設備は以上のように構成されていたので、発電設備における制御装置、監視装置、保護装置を保守、点検をするために必要とされる保守ツールが各装置毎にそれぞれのメーカにより準備されており、一つの発電設備において多数の保守ツールを準備し管理する必要があるという問題点があった。従って保守ツールの紛失及び接続ケーブルの紛失などが頻繁に発生し、必要時に必要な保守ツールが準備できないという問題点があった。更には保守点検を各装置毎に別々にしていたので、保守、点検項目を見落とすことがあるという問題点もあった。
【０００６】
この発明は上記のような課題を解決するためになされたものであり、制御装置、監視装置、保護装置を備えた発電設備において、一つの統合保守ツールにより各装置の保守、点検を行うようにすることにより、保守、点検費用を削減することができるとともに、保守、点検がし易く、更には保守、点検項目を見落とすことのないような発電設備を提供することを目的とするものである。
【課題を解決するための手段】
【０００７】
この発明に係る発電設備は、発電設備を制御する制御装置、発電設備の諸量を監視する監視装置及び発電設備を保護する保護装置を備えたものであって、制御装置、監視装置及び保護装置それぞれを保守及び点検するためのソフトウエアと、それぞれのソフトウエアを切り替えることができるソフトウエア選択機能と、制御装置、監視装置及び保護装置それぞれの保守点検結果の履歴を保有する機能とを備えた１つの統合保守ツールを設けたものである。
【発明の効果】
【０００８】
この発明に係る発電設備によれば、発電設備を制御する制御装置、発電設備の諸量を監視する監視装置及び発電設備を保護する保護装置を備えたものであって、制御装置、監視装置及び保護装置それぞれを保守及び点検するためのソフトウエアと、それぞれのソフトウエアを切り替えることができるソフトウエア選択機能と、制御装置、監視装置及び保護装置それぞれの保守点検結果の履歴を保有する機能とを備えた１つの統合保守ツールを設けたので、保守ツール及び接続ケーブルが紛失することを防ぐことができるとともに、保守、点検の利便性を図ることができる。
【図面の簡単な説明】
【０００９】
【図１】この発明の実施の形態１による発電設備を示す概略図である。
【図２】この発明の実施の形態１による発電設備の内部構成を示すためのブロック構成図である。
【図３】発電設備を示す概略図である。
【図４】この発明の実施の形態２による発電設備を示す概念図である。
【図５】この発明の実施の形態２による発電設備の動作を示すブロック図である。
【図６】この発明の実施の形態３による発電設備を示す概念図である。
【図７】この発明の実施の形態３による発電設備の動作を示すブロック図である。
【発明を実施するための形態】
【００１０】
実施の形態１．
以下この発明の一実施形態を図に基づいて説明する。図１はこの発明の実施の形態１による発電設備を示す概略図、図２は同じく内部構成を示すためのブロック構成図である。尚本発明は発電設備として火力発電設備について説明するが、水力発電設備などについても同様に構成することができる。
【００１１】
図において、火力発電設備１は、火力発電設備を制御する制御装置２、火力発電設備の諸量を監視する監視装置３、火力発電設備を保護する保護装置４を備えており、更にはこれらの制御装置２、監視装置３、及び保護装置４を一括統合して保守及び点検可能な保守・点検機能６を備えた統合保守ツール５を中央制御室８内に有している。各装置２、３、４と統合保守ツール５間は配線７(例えばＬＡＮ)によって接続されている。
【００１２】
本発明においては制御装置２としてデジタル制御装置を使用する場合について説明するが、アナログ制御装置を用いても良い。制御装置２は例えば発電機の出力電圧が一定になるように制御するＡＶＲ(自動電圧調整装置)を搭載するものである。監視装置３は発電設備における電圧、電流、力率、電力などを監視するものである。保護装置４は短絡事故、地絡事故などが発生した場合にこれを検出し、回路を遮断する信号を遮断器に送信等するものである。又火力発電設備１にはメンテナンス員９が配備されている。
【００１３】
又図２において、統合保守ツール５には制御装置２、監視装置３及び保護装置４それぞれを保守、点検するための制御装置用保守点検ソフトウエア５ａ、監視装置用保守点検ソフトウエア５ｂ及び保護装置用保守点検ソフトウエア５ｃが設けられており、ソフトウエア選択機能５ｄによりそれぞれのソフトウエアに切り替えられるようになっている。更に統合保守ツール５には制御装置２、監視装置３、保護装置４それぞれの保守点検結果の履歴を保有する共通履歴エリア５ｅが設けられている。
【００１４】
次に動作について説明する。監視装置３により、発電機系統の監視異常及び制御異常が見つけられた場合、あるいは発電機系統の動作が限界に近づいているような場合、制御装置２から監視装置３に信号が送信され、監視装置３による制御装置２の監視が行われる。又保護装置４が遮断器に信号を送信した場合においては、保護装置４は同時に監視装置３にその状態を送信する。統合保守ツール５は、火力発電設備１に備えられた制御装置２、監視装置３及び保護装置４に配線７を介して一括に統合して接続される。
【００１５】
このように本発明においては、制御装置２、監視装置３、保護装置４にそれぞれ保守ツールを個別に接続するのではなく、中央制御室８に備えられた統合保守ツール５に一括して接続し、統合保守ツール５の画面上で、保守・点検が必要な装置を選択し、ソフトウエア選択機能５ｄによって必要とされる保守点検ソフトウエア５ａ〜５ｃのうちの一つを起動することによって、制御装置２、監視装置３又は保護装置４のいずれかの装置の保守、点検を行うものである。例えば制御装置２の保守、点検に際しては、正規運転状態でなければ、確認できない内部ロジックであっても、保守・点検機能６は自己点検機能を有している制御装置２のＣＰＵに対して信号を送信し、ＣＰＵをＯＮして走らせることにより問題の有無、回路の健全性が確認できる。
【００１６】
又監視装置３の保守点検に際しては、発電機系統の電圧、電流をＡＤ変換することによって、これらの値を監視しているため、保守点検機能６は監視装置３に対してＡＤ変換が正常であるか否かを確認させる。更に保護装置４の保守、点検に際しては、普段動作しない保護装置４のＤＯ(digital output)を動かすため、保守・点検機能６は強制動作させるための信号を保護装置４に対して送信し、動作を確認等するものである。更に統合保守ツール５は制御装置２、監視装置３、保護装置４それぞれの保守点検結果の履歴を共通履歴エリア５ｅにおいて保有するものである。
【００１７】
本発明においては、一つの統合保守ツール５を使用して点検、保守が必要な装置を点検、保守できるようになったので、各装置毎に保守ツールを準備する必要が無く、従って保守ツール及び接続ケーブルが紛失することが無くなる。又過去の保守・点検結果を１台の統合保守ツール５によって一括して管理することができるので、利便性においても優れたものが得られる。
【００１８】
最近の傾向としては火力発電設備は大型化しており、制御装置２、監視装置３及び保護装置４の種類も多くなり、それぞれを個別に保守、点検することが困難なものとなっているが、本発明においては一つの統合保守ツール５のみを用意すれば済むので経済的なものとなっている。
【００１９】
これに対して図３に示すように、火力発電設備を制御する制御装置２には制御装置専用の保守ツール１０、火力発電設備の諸量を監視する監視装置３には監視装置専用の保守ツール１１、火力発電設備を保護する保護装置４には保護装置専用の保守ツール１２をそれぞれ接続して使用することも考えられる。この場合、各装置個別の保守ツール及び接続ケーブルは、個別に管理、保管され、必要時に保管庫より搬出され、設置、接続した上で、保守及び点検を行うとともに、保守、点検結果は、各装置個別に纏められることとなり、作業が非常に煩雑となってしまう。これに対して本発明においてはこのような欠点を解決することができるものであり、有用性の高いものといえる。
【００２０】
実施の形態２．
図４はこの発明の実施の形態２による火力発電設備を示す概念図、図５は動作を示すブロック図である。本実施形態においては、統合保守ツール５に最適な保守、点検時期を予測するための予測機能が備えられており、その他の構成は実施の形態１と同様である。
【００２１】
図４に示すように、火力発電設備１において、統合保守ツール５は、保守・点検機能６だけでなく、予測機能２１も保有している。このような統合保守ツール５は、過去の各装置の保守・点検結果の履歴を共通履歴エリア５ｅにおいて保有しているので、火力発電設備の運転計画を入力（Ｓ１）することによって、統合保守ツール５に蓄積された各装置の保守・点検結果の履歴並びに各装置の保守・点検に掛かる費用から、最適な次回の保守、点検時期を予測し、又各装置間の具体的な日程調整も実施することができる。
【００２２】
発電設備を保守、点検するためには発電設備の稼働を停止させなければならないので、火力発電設備の運転計画においては、長いスパンにおいて何時発電設備を止めるかを計画する。何時停止させるかは発電機及びタービン等のメーカの推奨点検周期を踏まえ、発電設備所有者により決められるものである。例えば制御装置２、監視装置３及び保護装置４のうちのいずれかは故障し難いという履歴がある場合、故障しにくい装置の保守、点検は停止期間との兼ね合いで先送りすることもできる。保守、点検するための費用が予め定められているので、装置の重要度などを加味して予測機能２１は保守点検時期を予測するものである。これによって、人材投入及びメンテナンス用部品調達に関する費用計画を事前に計画できる。
【００２３】
実施の形態３．
図６はこの発明の実施の形態３による火力発電設備を示す概念図、図７は動作を示すブロック図である。本実施形態においては、統合保守ツール５は、保守、点検部門に存在するメンテナンス員９へ情報を伝達するための情報伝達機能３１及び保守点検時期を補正するための補正機能３２を備えたものである。
【００２４】
実施の形態２で示したように、統合保守ツール５は、最適な保守、点検時期を予測する。そしてこの予測結果を情報伝達機能３１は保守、点検部門のメンテナンス員９へ自動的にFAX若しくはメイルにて情報伝達（Ｓ２）する。
【００２５】
これにより保守、点検部門のメンテナンス員９は事前に人材派遣計画、部材調達計画及びメンテナンス用電源計画を立案することができる。ここでメンテナンス用電源計画とは、保守点検時には発電設備１が原則的に停止されるので、電源をどこから確保するかを示す計画をいう。
【００２６】
更には保守、点検部門のメンテナンス員９は、保守、点検予定日に実際に保守、点検を実施した各装置の消耗度等の情報を保守、点検実施結果として保守、点検部門に存在する情報入力手段に入力する。情報入力手段に入力された保守、点検実施結果は統合保守ツール５にフィードバック入力される（Ｓ３）。そして次回の保守点検時期を予測するに際しては、統合保守ツール５に設けられた補正機能３２は、フィードバックされた保守、点検実施結果に基づき予測機能２１によって予測される次回の保守、点検時期を補正する（Ｓ４）。
【００２７】
例えばいずれかの装置のうち消耗度の激しい装置が存在し、許容限度に近づいているような場合、当該装置の保守、点検時期を早めるような時期補正を行うようにする。又全く変化がないような装置に関しては、保守、点検時期を先延ばしにする。このようにして計算による保守、点検時期のみで無く、補正することにより正確な保守、点検時期を決定することができ、信頼度を向上させることができるとともに、費用を削減することもできるようになる。
【符号の説明】
【００２８】
１  発電設備、２  制御装置、３  監視装置、４  保護装置、５  統合保守ツール、
５ｄ  ソフトウエア選択機能、２１  予測機能、３２  補正機能。
【図１】
2010233421.tif 000003
【図２】
2010233421.tif 000004
【図３】
2010233421.tif 000005
【図４】
2010233421.tif 000006
【図５】
2010233421.tif 000007
【図６】
2010233421.tif 000008
【図７】
2010233421.tif 000009